(57)【要約】【課題】  薄型化を実現できる電気光学装置と、当該電気光学装置を備えた電子機器を提供する。【解決手段】  電気光学物質を挟持する一対の基板からなる電気光学パネル２０と、電気光学パネル２０を支持するフレーム３０とを具備し、フレーム３０には電気光学パネル２０が配設される面の電気光学パネル２０の外周側に凹部３６が形成され、凹部３６で電気光学パネル２０を支持することを特徴とする。【選択図】        図３
2006337893.tif 000002
【特許請求の範囲】
【請求項１】
電気光学物質を挟持する一対の基板からなる電気光学パネルと、前記電気光学パネルを支持するフレームと、を具備し、
前記フレームには、前記電気光学パネルが配設される面の前記電気光学パネルの外周側に凹部が形成され、前記凹部で前記電気光学パネルを支持すること、
を特徴とする電気光学装置。
【請求項２】
前記電気光学パネルには、当該電気光学パネルの周辺領域の内側に光学部材が設けられており、
前記フレームは、前記凹部の内周の前記光学部材に対向する領域に開口部を有し、
前記開口部に前記光学部材が配置されること、
を特徴とする請求項１に記載の電気光学装置。
【請求項３】
前記周辺領域と前記凹部とは、接着部材によって固定されていること、
を特徴とする請求項２に記載の電気光学装置。
【請求項４】
前記フレームには、
前記電気光学パネルの側面に当接する当接部が形成され、
前記電気光学パネルの少なくとも一部の側面は、前記当接部の側面に接触していること、
を特徴とする請求項１から請求項３のいずれか一項に記載の電気光学装置。
【請求項５】
前記電気光学パネルは、
電気光学物質を挟持する一対の基板からなる第１電気光学パネルと、
電気光学物質を挟持する一対の基板からなると共に、前記第１光学パネルと平面的に重なるように配置された第２電気光学パネルであり、
前記フレームには、前記第１電気光学パネルと前記第２電気光学パネルの少なくとも一方が配設される面に凹部が形成され、当該凹部内に前記第１電気光学パネルと前記第２電気光学パネルの少なくとも一方の少なくとも一部が配設されていること、
を特徴とする請求項１から請求項４のいずれか一項に記載の電気光学装置。
【請求項６】
前記フレームの内部には、
前記第１電気光学パネルと前記第２電気光学パネルとの間に照明手段が設けられ、
当該照明手段は、一方側から出射する照明光を前記第１電気光学パネルに照射し、他方側から出射する照明光を前記第２電気光学パネルに照射すること、
を特徴とする請求項５に記載の電気光学装置。
【請求項７】
請求項１から請求項６のいずれか一項に記載の電気光学装置を具備すること、
を特徴とする電子機器。
【発明の詳細な説明】
【技術分野】
【０００１】
本発明は、電気光学装置及び電子機器に関するものである。
【背景技術】
【０００２】
近年、携帯電話機、携帯型コンピュータ、ビデオカメラ等といった電子機器においては、表示部として液晶表示装置等の電気光学装置が広く用いられている。この電気光学装置として、特に携帯電話機やＰＤＡ（Personal Digital Assistant）などの情報携帯端末に、２つの液晶表示装置を背中合わせに配置したものが提案されている（例えば、特許文献１参照。）。
このような特許文献に記載においては、メイン液晶表示パネルとサブ液晶表示パネルとの各々を、金属板からなるメインケース及びサブケースによって中間ケースに取り付けた液晶表示装置の構成が開示されている。
【特許文献１】特開２００３−２０７８０１号公報
【発明の開示】
【発明が解決しようとする課題】
【０００３】
ところで、本発明者は、２つの表示パネルを備える電気光学装置においては、その厚さ寸法が大きくなってしまうため、薄型化を実現できないという問題を見出した。また、２つの表示パネルを備える携帯電話等の電子機器においても薄型化を実現できないという問題を見出した。
本発明は、上記従来技術の問題点に鑑み成されたものであって、２つの表示パネルを備えた構成において薄型化を実現できる電気光学装置と、当該電気光学装置を備えた電子機器を提供することを目的としている。
【課題を解決するための手段】
【０００４】
本発明者は、上記に基づいて以下の手段を有する本発明を想到した。
即ち、本発明の電気光学装置は、電気光学物質を挟持する一対の基板からなる電気光学パネルと、前記電気光学パネルを支持するフレームと、を具備し、前記フレームには、前記電気光学パネルが配設される面の前記電気光学パネルの外周側に凹部が形成され、前記凹部で前記電気光学パネルを支持すること、を特徴としている。
【０００５】
ここで、電気光学物質、電気光学パネル、もしくは電気光学装置とは、電界により物質の屈折率が変化して光の透過率を変化させる電気光学効果を有するものの他、電気エネルギーを光学エネルギーに変換するもの等も含んで総称している。
また、凹部とは、フレームの基面よりもフレームの基体側に向けて相対的に凹んでいる部位である。また、凹部の平面形状は、電気光学パネルの外周形状に対応して略同形に形成されていることが好ましい。これによって電気光学パネルはフレームの凹部内に支持される。
【０００６】
本発明によれば、凹部内に電気光学パネルが支持されていない構成と比較して、凹部内に支持されている厚さ分だけ、電気光学装置の厚さを薄くすることができる。また、電気光学パネルが、一つのフレームによって一体に固定されるので、部品点数の削減や構造の簡素化を実現できる。これに対して、既述の特許文献においては、第１パネルと第２パネルを各々異なる金属ケースによって保持しているので、部品点数が多くなり、構造が複雑になってしまう。本発明は、既述の特許文献に比べて部品点数や構造の面で優れた電気光学装置を実現できる。
【０００７】
本発明の電気光学装置においては、前記電気光学パネルには、当該電気光学パネルの周辺領域の内側に光学部材が設けられており、前記フレームは、前記凹部の内周の前記光学部材に対向する領域に開口部を有し、前記開口部に前記光学部材が配置されること、を特徴としている。
ここで、光学部材とは、偏光板、位相差板、プリズムシート、等の各種光学シートであって、第１電気光学パネルや第２電気光学パネルの周辺領域よりも鉛直方向に突出して設けられたものである。このような光学部材は、開口部内に非接触で露出していることが好ましい。
また、凹部のうち開口部を除く部分には、電気光学パネルの周辺領域が接触する保持面が形成されていることが好ましい。これによって、電気光学パネルの周辺領域と保持面とが接触することで、電気光学パネルの周辺領域の内側に形成されている光学部材が開口部に非接触に露出することとなる。
【０００８】
このように、光学部材が開口部に配置されることにより、当該開口部において光学部材が露出状態し、当該光学部材は開口部内に落とし込まれた状態で保持される。これにより、光学部材の厚さ分だけ、電気光学装置の薄型化を実現できる。
また、光学部材は、開口部内においてフレームの内壁や照明手段等の部位に非接触状態となるので、フレーム内壁や照明手段等が光学部材に接触することによる光学特性の低下や、電気光学パネルの表示画像の乱れを抑制できる。
【０００９】
また、本発明の電気光学装置においては、前記周辺領域と前記凹部とは、接着部材によって固定されていること、を特徴としている。
ここで、凹部内の保持面と周辺領域とが接着部材によって固定されていることが好ましい。
このようにすれば、周辺領域と凹部とを確実に固着することができ、電気光学パネルをフレームに一体に固定することができる。
【００１０】
また、本発明の電気光学装置においては、前記フレームには、前記電気光学パネルの側面に当接する当接部が形成され、前記電気光学パネルの少なくとも一部の側面は、前記当接部の側面に接触していること、を特徴としている。
ここで、当接部とは、フレームの基面から、その外側に向けて突出して設けられた部位であり、当該当接部によって囲まれた平面形状は、電気光学パネルの外周形状に対応して略同形に形成されていることが好ましい。これによって、電気光学パネルは当接部の側面に接触して固定される。
【００１１】
このようにすれば、電気光学パネルの一部が、凹部内に固定されると共に、当接部の側面に接触して固定されるので、電気光学パネルを確実に位置決めしてフレームに固定することができる。また、位置決めが確実に行われることで、照明手段からの照明光が、電気光学パネルの縁部から漏れるのを防止できる。
【００１２】
また、本発明の電気光学装置においては、前記電気光学パネルは、電気光学物質を挟持する一対の基板からなる第１電気光学パネルと、電気光学物質を挟持する一対の基板からなると共に、前記第１光学パネルと平面的に重なるように配置された第２電気光学パネルであり、前記フレームには、前記第１電気光学パネルと前記第２電気光学パネルの少なくとも一方が配設される面に凹部が形成され、当該凹部内に前記第１電気光学パネルと前記第２電気光学パネルの少なくとも一方の少なくとも一部が配設されていること、を特徴としている。
このようにすれば、第１電気光学パネル及び第２電気光学パネルを備える電気光学装置において、少なくとも一方の電気光学パネルの少なくとも一部が凹部内に配設されることで、当該凹部内に配設されている厚さ分だけ、電気光学装置の厚さを薄くすることができる。また、２つの電気光学パネルが一つのフレームによって一体に固定されるので、部品点数の削減や構造の簡素化を実現できる。
【００１３】
また、本発明の電気光学装置においては、前記フレームの内部には、前記第１電気光学パネルと前記第２電気光学パネルとの間に照明手段が設けられ、当該照明手段は、一方側から出射する照明光を前記第１電気光学パネルに照射し、他方側から出射する照明光を前記第２電気光学パネルに照射すること、を特徴としている。
【００１４】
ここで、照明手段とは、導光体或いは自発光体であって、例えば、ＬＥＤ等の光源が端面に配設された導光板や、冷陰極管、固体光源、或いは白色発光のＥＬ（エレクトロルミネッセンス）素子基板等の自発光体が挙げられる。
また、第１電気光学パネル及び第２電気光学パネルは、電気光学物質として液晶層を備え、照明手段から出射される照明光の透過率を画素毎に異ならせて透過させる液晶パネルである。
このようにすれば、上記のように厚さが薄い電気光学装置を実現できると共に、照明手段によって液晶パネルからなる第１電気光学パネル及び第２電気光学パネルに照明光を照射することができる。また、照明光を照射する際には、照明光を凹部内の開口部を光路として通過させ、第１電気光学パネル及び／又は第２電気光学パネルに向けて照射することができる。
【００１５】
また、本発明の電子機器は、先に記載の電気光学装置を具備すること、を特徴としている。このようにすれば、薄型化された表示部を備えるので、電子機器の薄型化を実現できる。
【発明を実施するための最良の形態】
【００１６】
以下、本発明の実施の形態について図面を参照しつつ説明する。なお、以下の説明に用いる各図面では、各部材を認識可能な大きさとするため、各部材の縮尺を適宜変更している。
【００１７】
まず、本発明の電気光学装置の一実施形態である液晶表示装置について、図１から図４を参照して説明する。
図１は、本発明の第１実施形態に係る液晶表示装置を示す平面図であって、図１（ａ）は液晶表示装置の上面から見た平面図であり、図１（ｂ）は液晶表示装置の下面から見た平面図である。また、図２は、図１のＡ−Ａ’断面を示す断面図であって、液晶表示装置を構成する２つの表示パネルがフレームに組み込まれる構造を説明するための組み立て図である。また、図３は、図２の電気光学装置の要部Ｂを示す断面拡大図である。また、図４は、表示パネルがフレームに組み込まれる構造を模式的に説明するための平面模式図である。
【００１８】
図１（ａ），（ｂ）に示すように、液晶表示装置１は、フレーム３０を基体として、その上面側にメイン表示パネル（第１電気光学パネル）１０を備え、その下面側にサブ表示パネル（第２電気光学パネル）２０を備えた構成を有している。
【００１９】
また、液晶表示装置１は、フレーム３０の側部に設けられ柔軟性を有するＦＰＣ（Flexible  Printed  Circuit）基板５０と、サブ表示パネル２０に隣接して設けられた回路部５１と、メイン表示パネル１０とサブ表示パネル２０を電気的に接続するコネクタ５２を有している。ここで、ＦＰＣ基板５０はフレーム３０の近傍において折り曲げが可能となっており、サブ表示パネル２０が配設される側に折り曲げて、端子露出部５０aにおいて液晶表示装置１の外部と入出力を行うようになっている。
【００２０】
また、回路部５１は、ＩＣチップ等の各種電子部品や回路配線が設けられている部位であり、ＦＰＣ基板５０の端子部５０ａからの入出力信号に応じて、メインパネル１０及びサブパネル２０を駆動させるようになっている。
また、フレーム３０の表面には、上金枠３１、下金枠３２，３３、プラスチックカバー３４が設けられており、メイン表示パネル１０、サブ表示パネル２０、回路部５１、コネクタ部５２をフレーム３０に固定して、これらがフレーム３０から脱落するのを防止している。
【００２１】
次に、図２を参照して、液晶表示装置１の断面構造について説明する。
図２に示すように、液晶表示装置１は、フレーム３０にメイン表示パネル１０及びサブ表示パネル２０が両面に組み込まれて構成されている。そして、フレーム３０によってメイン表示パネル１０及びサブ表示パネル２０は、一体に保持されている。また、本実施形態においては、サブ表示パネル２０の画面サイズがメイン表示パネル１０よりも小さくなっている。また、メイン表示パネル１０及びサブ表示パネル２０は、平面的に重なるように配置されている。
【００２２】
ここで、フレーム３０は、加工性に優れた樹脂部材であり、メイン表示パネル１０及びサブ表示パネル２０を容易に組み込むことが可能となっている。
また、メイン表示パネル１０は、基板１１，１２と、当該基板１１，１２の外面に設けられた偏光板（光学部材）１５，１６とを備えて構成されている。また、サブ表示パネル２０は、基板２１，２２と、当該基板２１，２２の外面に設けられた偏光板（光学部材）２５，２６とを備えて構成されている。
【００２３】
また、メイン表示パネル１０とサブ表示パネル２０の各々においては、基板１１，１２の間及び基板２１，２２の間にはシール材（図示略）が介在されて、各基板はセルギャップをあけて対向して設けられている。そして、基板１１，１２の間及び基板２１，２２の間には、液晶層（電気光学物質）が挟持されている。即ち、メイン表示パネル１０及びサブ表示パネル２０は、液晶パネルである。
また、基板１１，１２，２１，２２は、例えば、ガラスなどの透明材料からなる光透過性基板であり、後述する照明部４０の照明光が透過可能となっている。
【００２４】
また、基板１１，１２の間及び基板２１，２２の間には、画素毎に液晶層に電圧を印加する画素電極と、当該画素電極に接続されたスイッチング素子が設けられている。ここでスイッチング素子としては、ＴＦＴ（薄膜トランジスタ），ＴＦＤ（薄膜ダイオード）等のアクティブ素子が用いられている。また、アクティブ素子に限らず、対向する基板の各々にストライブ電極を設けて、ストライブ電極間の液晶層に電圧を印加するパッシブ素子を用いてもよい。また、このようなスイッチング素子は、ドライバ回路によって駆動される。このようなドライバ回路は、回路部５１に実装されたものや、ＦＰＣ基板５０を通じて液晶表示装置１の外部に実装されたもの、或いは、基板１１，１２の周辺領域にスイッチング素子と同時に形成されたものである。
【００２５】
また、メイン表示パネル１０の偏光板１５，１６、及びサブ表示パネル２０の偏光板２５，２６においては、表示モードに応じて、各透過軸が直交或いは平行に配置させている。ここで、サブ表示パネル２０においては、フレーム３０に組み込まれる側の基板２１の周辺領域２１ａが露出しており、当該周辺領域２１ａには、偏光板２５が被覆形成されていない構成となっている。従って、基板２１におけるフレーム３０側の表面を基準とすると、周辺領域２１ａを除く内側の領域において偏光板２５がフレーム３０に向けて突出するように設けられている。
【００２６】
また、液晶表示装置１は、フレーム３０の内部に照明部（照明手段）４０と、当該照明部４０の両面に配設された光学シート４１とを備えている。照明部４０は、フレーム３０にメイン表示パネル１０及びサブ表示パネル２０が組み込まれた構造において、表示パネル１０，２０の間に配設されたものである。また、光学シート４１は、照明部４０とメイン表示パネル１０との間、及び照明部４０とサブ表示パネル２０との間に位置することとなる。これによって、フレーム３０内に設けられた一つの照明部４０よって、一方側から出射する照明光は光学シート４１を通じてメイン表示パネル１０に照射し、他方側から出射する照明光は光学シート４１を通じてとサブ表示パネル２０に照射されるようになっている。
【００２７】
ここで、照明部４０は、光を射出する光源と、当該光源が端面に配設された導光板（照明手段）４２とによって構成されている。
光源（図２中不図示）は、図１における回路部５１及びコネクタ部５２とサブ表示パネル２０との間に設けられており、図２の紙面裏から鉛直方向に表面側に向けて発光するようになっている。光源は、例えば、ＬＥＤ（Light Emitting Diode：発光ダイオード）で構成されているものとする。また、光源は、ＬＥＤ以外のもので構成してもよく、例えば有機エレクトロルミネッセンス素子、端面発光半導体レーザ又は面発光半導体レーザなどの半導体レーザなどで光源を構成してもよい。また、冷陰極管で光源を構成してもよい。
また、導光板４２は、アクリル樹脂などの光透過性材料からなる板材であり、光源の発光を図２の紙面裏から鉛直方向に表面側に向けて導くと共に、導光板４２の両面に光源の発光を取り出して、メイン表示パネル１０とサブ表示パネル２０の基板１１，２１の側に照明光を照射するようになっている。
【００２８】
また、光学シート４１は、導光板４２によって導かれる発光を、メイン表示パネル１０とサブ表示パネル２０に効率的に取り出す機能を有する部材である。このような光学シートとしては、光拡散シート、プリズムシート等が挙げられ、或いは、これらを重ね合わせた構成が採用される。
【００２９】
ここで、拡散シートは、導光板４２からの射出光を拡散させる板形状のシート部材であり、拡散剤を分散させたアクリルシート等を採用することが可能である。このような拡散シートにより、導光板４２からの発光の面輝度を均一化し得るとともに、プリズムシートを設けた場合の溝や凹凸形状の映りこみ（輝度ムラ）を防止し得るようになっている。
また、プリズムシートは、透明なアクリル樹脂などからなる平板状の板材の一面側がプリズム面とされ、例えば側面三角波状の周期的な凹凸（図示略）が形成されて構成されている。
【００３０】
次に、図３を参照して、液晶表示装置１の要部について説明する。
図３に示すように、フレーム３０は、メイン表示パネル１０が保持されるメイン表示パネル収納部３５ａと、サブ表示パネル２０が保持されるサブ表示パネル収納部３５ｂと、導光板４２及び光学シート４１が保持される導光板収納部３５ｃとを有している。
【００３１】
そして、本発明の特徴点として示したように、サブ表示パネル収納部３５ｂにおいては、サブ表示パネル２０が配設される面に、フレーム３０の基面よりもフレーム３０の基体側に向けて掘り込まれた凹部３６が設けられており、当該凹部３６にサブ表示パネル２０の一部が支持されるようになっている。具体的には、サブ表示パネル２０のうち、基板２１の一部が凹部３６に支持されるようになっている。また、凹部３６の平面形状は、サブ表示パネル２０の平面形状と略同形に形成されているので、殆ど隙間なく凹部３６にサブ表示パネル２０が支持されている。
【００３２】
また、凹部３６内には、サブ表示パネル２０における基板２１の周辺領域２１ａを保持する保持面３７と、当該保持面３７の内側に設けられた開口部３８とが形成されている。開口部３８においては、サブ表示パネル２０の基板２１と光学シート４１とが露出しており、光学シート４１を通じた照明光が開口部３８を経て基板２１に入射するようになっている。即ち、開口部３８は照明光の光路としても機能するようになっている。このような開口部３８の高さ寸法ｄは、０．３〜０．５ｍｍ程度に設定されている。
【００３３】
このように凹部３６が形成されていることによって、フレーム３０にサブ表示パネル２０が組み込まれた状態では、周辺領域２１ａが保持面３７によって保持され、偏光板２５が開口部３８内に落とし込まれて配設される。また、保持面３７によってサブ表示パネル２０が保持されるので、偏光板２５はフレーム３０の壁部や光学シート４１に対して非接触となる。
また、周辺領域２１ａ又は保持面３７の一方には、予め両面テープ（接着部材）が貼付されており、凹部３６にサブ表示パネル２０が組み込まれた際に、周辺領域２１ａと保持面３７とが固着され、フレーム３０にサブ表示パネル２０が固定される。
【００３４】
また、フレーム３０におけるサブ表示パネル２０が配設される面には、フレーム３０の基面の外側に向けて突出して設けられた当接部３９が形成されており、凹部３６にサブ表示パネル２０が組み込まれた際に、サブ表示パネル２０の一部の側面は、当接部３９の側面に接触するようになっている。
また、当接部３９の内側（凹部３６が形成されている側）の側面３９ａと、凹部３６の側面３６ａとは、連続した面となっており、当該連続面に基板２１の側面が接触保持されることで、サブ表示パネル２０は単に凹部３６に支持されるだけでなく、当接部３９によってサブ表示パネル２０の配設位置が規定されている。
【００３５】
ここで、図４を参照して、液晶表示装置の要部の平面構造について模式的に説明する。
図４は、フレーム３０の凹部３６に支持されるサブ表示パネル２０と、フレーム３０に設けられた当接部３９との位置関係を説明するための模式平面図である。
図４（ａ）に示すように、サブ表示パネル２０は、その側面と当接部３９の側面とが互いに接触するように組み込まれている。そして、サブ表示パネル２０の４辺の各辺について、２つずつ当接部３９が配設された構成となっている。
また、図４（ａ）に示す構成以外にも、図４（ｂ）、（ｃ）に示す構成を採用することも可能である。図４（ｂ）においては、サブ表示パネル２０の４辺の各辺について、一つずつ当接部３９が配設され、かつ、サブ表示パネル２０の対角の近傍に当接部３９が配設された構成となっている。また、図４（ｃ）においては、サブ表示パネル２０の４つの角部と３辺とを囲うように、かつ、一つの辺の一部を除くように当接部３９が配設された構成となっている。
図４（ａ）〜（ｃ）に示すように当接部３９がサブ表示パネル２０の側面と接触するように配設されることで、サブ表示パネル２０の配設位置が凹部３６によって規定されることとなる。
【００３６】
一方、メイン表示パネル収納部３５ａにおいても、メイン表示パネル１０が配設される面に凹部３６が形成されており、当該凹部３６内にメイン表示パネル１０の一部が支持されるようになっている。また、凹部３６内には保持面３７が設けられており、当該保持面３７に両面テープを介在させてメイン表示パネル１０が固定されるようになっている。なお、メイン表示パネル収納部３５ａには、上記の開口部３８が設けられていないが、メイン表示パネル１０の偏光板１５と光学シート４１とは間隔を設けて配設されており、非接触となっている。
【００３７】
上述したように、本実施形態の液晶表示装置１においては、フレーム３０におけるメイン表示パネル１０及びサブ表示パネル２０が配設される面に凹部３６が形成され、当該凹部３６にメイン表示パネル１０及びサブ表示パネル２０の一部が支持されているので、凹部３６の深さ分だけ液晶表示装置１の薄型化を実現できる。
また、メイン表示パネル１０及びサブ表示パネル２０が一つのフレーム３０によって一体に固定されるので、部品点数の削減や構造の簡素化を実現できる。
【００３８】
また、フレーム３０の内部には、メイン表示パネル１０とサブ表示パネル２０との間に照明部４０が設けられているので、上記のように厚さが薄い液晶表示装置を実現できると共に、照明部４０によって液晶パネルからなるメイン表示パネル１０及びサブ表示パネル２０に照明光を照射することができる。
【００３９】
また、本実施形態の液晶表示装置１においては、凹部３６内には、メイン表示パネル１０やサブ表示パネル２０の周辺領域を保持する保持面３７が設けられているので、保持面３７によってメイン表示パネル１０やサブ表示パネル２０を保持することができる。
また、保持面３７の内側に開口部３８が形成されているので、当該開口部３８においてはサブ表示パネル２０の偏光板２５を非接触状態にしながら、サブ表示パネル２０を保持することができる。
【００４０】
また、偏光板２５は、開口部３８内に落とし込まれた状態で保持されるので、偏光板２５の厚さ分だけ、液晶表示装置１の薄型化を実現できる。
また、開口部３８内において、偏光板２５はフレーム３０内壁や光学シート４１等の部位に非接触状態となるので、フレーム３０内壁や光学シート４１等が偏光板２５に接触することによる光学特性の低下や、表示画像の乱れを抑制できる。
【００４１】
また、本実施形態の液晶表示装置１においては、周辺領域２１ａと保持面３７とは、両面テープによって固定されているので、凹部３６内において周辺領域２１ａと保持面３７とを確実に固着することができ、フレーム３０に一体に固定することができる。
【００４２】
また、本実施形態の液晶表示装置１においては、サブ表示パネル２０の一部が凹部３６内に勘合されると共に、その側面が当接部３９に接触しているので、サブ表示パネル２０を確実に位置決めしてフレーム３０に固定することができる。また、位置決めが確実に行われることで、照明部４０からの照明光が、メイン表示パネル１０やサブ表示パネル２０の縁部から漏れるのを防止できる。また、例えば配線基板等が配置される領域を除く広い範囲に枠状に当接部を形成した場合には、当接部そのものが遮光板の役割を果たし、当接部によって、光漏れを防止できる。
【００４３】
なお、上記の実施形態においては、導光板４２をメイン表示パネル１０及びサブ表示パネル２０の間に配設して、光源の発光を導いて、照明光をメイン表示パネル１０及びサブ表示パネル２０に照射させる構成となっているが、導光板４２の代わりに、面発光素子として機能する白色ＥＬ装置（照明手段）を採用することができる。
白色ＥＬ装置は、面発光素子として機能する板体であるので、導光板４２に代替させてフレーム３０内に設けることができる。これにより、導光板４２や導光板４２の端面に設けられた光源を不要にすることができる。このような白色ＥＬ装置は、自発光素子であるために、高輝度の照明光を得ることができると共に、より一層の薄型化を実現できる。
【００４４】
また、上記の実施形態においては、メイン表示パネル１０及びサブ表示パネル２０の表示装置として、液晶パネルを採用した構成について説明したが、これを限定するものではない。メイン表示パネル１０又はサブ表示パネル２０のいずれか一方のパネルが、無機ＥＬ素子又は有機ＥＬ素子を備えるＥＬ表示装置であったり、電気泳動ディスプレイ装置（ＥＰＤ：Electrophoretic Display）であったりしてもよい。この場合、他方のパネルのみが液晶パネルとなるので、当該液晶パネル側に照明光を反射させる反射板を導光板４１に設けることができる。
そして、フレーム３０に設けられた凹部３６に、一方のパネルとなるＥＬ表示装置や電気泳動ディスプレイ装置の一部が勘合されることによって、凹部３６に支持された分だけ、電気光学装置の薄型化を実現できる。
【００４５】
また、メイン表示パネル１０及びサブ表示パネル２０として、両者共にＥＬ表示装置又は電気泳動ディスプレイ装置とすることで、背面から照明光を照射するための導光板４２や、光源を不要にすることができる。そして、フレーム３０の両面に設けられた凹部３６に、ＥＬ表示装置や電気泳動ディスプレイ装置であるメイン表示パネル１０及びサブ表示パネル２０の一部が勘合されることによって、凹部３６に支持された分だけ、電気光学装置の薄型化を実現できる。更に、導光板４２が不要になる分だけ、電気光学装置の薄型化を実現できる。
【００４６】
また、上記の実施形態においては、表示パネル（電気光学パネル）を２つ備えた電気光学装置について説明したが、表示パネルを一つ備えた電気光学装置についても適用可能である。この場合では、フレーム３０の一方に凹部３６が設けられ、当該凹部３６によって表示パネルが支持される構成が採用される。従って、凹部３６に表示パネルが支持されている深さ分だけ液晶表示装置の薄型化を実現できる。
【００４７】
（電子機器）
次に、図５を参照し、本発明の電子機器について説明する。
図５は、携帯電話（電子機器）の斜視図である。図５において符号１０００は携帯電話を示し、符号１００１は表示部を示している。この携帯電話１０００の表示部１００１には、本実施形態の電気光学装置である液晶表示装置が採用されている。従って、メイン表示パネルとサブ表示パネルとからなる２つの表示パネルを備えたとしても、薄型の携帯電話１０００を提供することができる。
【００４８】
本発明は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネル等の電子機器の画像表示手段として好適に用いることができ、いずれの場合でも、メイン表示パネルとサブ表示パネルとからなる２つの表示パネルを備えたとしても、薄型の電子機器を提供することができる。
【００４９】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００５０】
【図１】本発明の電気光学装置に係る液晶表示装置を示す平面図。
【図２】図１のＡ−Ａ’断面を示す断面図。
【図３】図２の要部Ｂを示す断面拡大図。
【図４】図１の要部を示す平面模式図。
【図５】本発明の電子機器の一実施形態を示す斜視図。
【符号の説明】
【００５１】
１  液晶表示装置（電気光学装置）、  １０  メイン表示パネル（電気光学パネル、第１電気光学パネル）、  １１，１２，２１，２２  基板、  １５，１６，２５，２６  偏光板（光学部材）、  ２０  サブ表示パネル（電気光学パネル、第２電気光学パネル）、  ２１ａ  周辺領域、  ３０  フレーム、  ３６  凹部、  ３８  開口部、  ３９  当接部、  ４０  照明部（照明手段）、  １０００  携帯電話（電子機器）。
【図１】
2006337893.tif 000003
【図２】
2006337893.tif 000004
【図３】
2006337893.tif 000005
【図４】
2006337893.tif 000006
【図５】
2006337893.tif 000007